(57)【特許請求の範囲】
【請求項１】
一端部に端子を有したカートリッジを該端部側から受け入れて収容するカートリッジ収納空所と、該カートリッジ収納空所内に設けられて前記端子と着脱するコネクタ部と、を備えたカートリッジ収納装置であって、
前記カートリッジ収納空所の内壁には、前記カートリッジの表面に設けられた凹所と係合する係合片を突設し、該係合片は前記カートリッジを該カートリッジ収納空所内に挿入する過程において前記凹所及び前記傾斜連設面を通過する一方で、前記被係止部と当接することにより係合状態となる傾斜辺を有しており、且つ、前記カートリッジを前記カートリッジ収納空所内に挿入完了した際に前記凹所と係合することにより前記端子を前記コネクタ部と接続させた状態で前記カートリッジを前記カートリッジ収納空所内に係止することを特徴とするカートリッジ収納装置。
【請求項２】
前記カートリッジの凹部と係合する前記係合片の接触部位は、曲線状に構成されていることを特徴とする請求項１に記載のカートリッジ収納装置。
【請求項３】
請求項１又は２に記載のカートリッジ収納装置を備えたことを特徴とする電子機器。
【発明の詳細な説明】
【技術分野】
【０００１】
本発明は車載用の電子機器に着脱自在に装着されるカートリッジの保持構造の改良に関し、特に振動、衝撃によるカートリッジの離脱、電気的接点の接続不良、故障等を防止できる保持構造を備えたカートリッジ収納装置に関する。
【背景技術】
【０００２】
ＸＭサテライトラジオは、米国における衛星デジタルラジオとして知られている。このＸＭサテライトラジオを例えば車両内で聴取する場合には、認証用のＩＤ、チューナソフト等の必要なデータを格納した専用カートリッジを専用のチューナボックスに装着し、車載用音響機器に接続する必要がある。従来は、チューナボックス本体に対して外付けされるカートリッジ収納装置が用いられていた。
カートリッジ収納装置は、先端部に端子を有したカートリッジを先端部から受け入れる受入れ口と、該受入れ口内部に位置するカートリッジ収納空所と、該カートリッジ収納空所奥部に設けられて前記端子と着脱するコネクタ部と、を備えており、収納されたカートリッジの保持力は専ら端子とコネクタとの機械的接合力に依存している。
しかし、円滑な着脱性が求められる端子とコネクタとの機械的接合力を過大に強く設定することには限界があるため、端子とコネクタとの接合部はカートリッジの保持力を確保する手段としては不十分である。一方、このようなカートリッジ収納装置を装備したＸＭサテライトラジオを車載用とした場合、カートリッジの保持力が十分でないことに起因して振動、衝撃によってカートリッジとカートリッジ収納空所との間でがたつきが発生し、局所が損耗、破損したり、ラトル音が発生したり、端子とコネクタとの接続部の導通不良や故障が発生し易くなる。
特許文献１、２には、カートリッジを挿入部内に装着した時にカートリッジ側の端子と挿入部内部のコネクタとを接続させる構成が開示されているが、振動、衝撃によるカートリッジのがたつきや電気的接続不良の発生を防止するための構成については開示されていない。
なお、このような不具合はＸＭサテライトラジオのみならず、同様のカートリッジ収納装置を備えた電子機器一般においても生じるものである。
【特許文献１】特開平０８−３１５９２５号公報
【特許文献２】特開２０００−１２３１１９公報
【発明の開示】
【発明が解決しようとする課題】
【０００３】
本発明は上記に鑑みてなされたものであり、カートリッジ側に設けた端子とカートリッジ収納装置側に設けたコネクタとの機械的接合力のみに依存していた従来のカートリッジの保持構造における欠点である振動、衝撃に対する脆弱性を解消するための簡易な係止構造を備えたカートリッジ収納装置、及び電子機器を提供することを目的としている。
【課題を解決するための手段】
【０００４】
上記目的を達成するため、請求項１の発明に係るカートリッジ収納装置は、一端部に端子を有したカートリッジを該端部側から受け入れて収容するカートリッジ収納空所と、該カートリッジ収納空所内に設けられて前記端子と着脱するコネクタ部と、を備えたカートリッジ収納装置であって、前記カートリッジ収納空所の内壁には、前記カートリッジの表面に設けられた凹所と係合する係合片を突設し、該係合片は前記カートリッジを該カートリッジ収納空所内に挿入する過程において前記凹所及び前記傾斜連設面を通過する一方で、前記被係止部と当接することにより係合状態となる傾斜辺を有しており、且つ、前記カートリッジを前記カートリッジ収納空所内に挿入完了した際に前記凹所と係合することにより前記端子を前記コネクタ部と接続させた状態で前記カートリッジを前記カートリッジ収納空所内に係止することを特徴とする。
極めてシンプルな構成からなるカートリッジの保持機構を採用したため、端子とコネクタとの接続力に依存することなく、振動、衝撃に対してもがたつくことがないカートリッジ収納装置を提供することが可能となる。
請求項２の発明に係るカートリッジ収納装置は、請求項１において前記カートリッジの凹部と係合する前記係合片の接触部位は、曲線状に構成されていることを特徴とする。
請求項３の発明に係る電子機器は、請求項１又は２に記載のカートリッジ収納装置を備えたことを特徴とする。
【発明の効果】
【０００５】
本発明によれば、カートリッジに対するロック機能として必要十分な保持力を確保するようにし、かつ構造の複雑化、大型化を招くことなく、振動、衝撃に対する脆弱性を解消することができる。
【発明を実施するための最良の形態】
【０００６】
以下、本発明を図面に示した実施の形態により詳細に説明する。
図１（ａ）は本発明のカートリッジ収納装置に装着されるカートリッジの構成を示す外観斜視図、（ｂ）及び（ｃ）はカートリッジを装着する前、及び装着後のカートリッジ収納装置の構成説明図であり、図２（ａ）及び（ｂ）はカートリッジを装着する前、及び装着後のカートリッジ収納装置の構成を示す斜視断面図であり、図３（ａ）及び（ｂ）はカートリッジを装着する前、及び装着後の係止状態を示す斜視断面図である。更に、図４（ａ）及び（ｂ）はカートリッジを装着する前、及び装着後のカートリッジ収納装置の構成を示す断面図であり、図５は係合片と被係止部との係合状態を示す拡大図である。
なお、本実施形態では、本発明のカートリッジ収納部を内蔵した電子機器の一例として米国におけるＸＭサテライトラジオを受信するためのチューナー装置について説明する。
チューナー装置本体（カートリッジ収納装置）３０には専用カートリッジ１を着脱するためのカートリッジ収納部１０が内蔵されている。
図１（ａ）に示したようにカートリッジ１は薄い箱形であり、その先端面に端子２を有すると共に、上面には被係止部４を有している。
カートリッジの上面には、凹所３と、凹所３の先端側に順次連設された被係止部４、及び凸所５が設けられている。凹所３は矩形の底面３ａ、及び底面３ａの先端縁からテーパー状に高さを漸増させる傾斜連設面３ｂを有している。凸所５は、傾斜連設面３ｂの先端縁に連設されて先端方向へ延びる平坦面から成る。被係止部４は、傾斜連設面３ｂと凸所５との境界部に位置する鈍角状の角部である。また、凹所の底面３ａの四方には、傾斜連設面３ｂ、その他の３面の傾斜面３ｃが位置している。
【０００７】
本発明のカートリッジ収納部（以下、収納部、という）１０は、このようなカートリッジ上面に設けられた被係止部４の形状を利用して、装着されたカートリッジ１を必要十分な係止力によって保持するように構成されている。
即ち、収納部１０は、上面に被係止部４を有し且つ先端部に端子２を有したカートリッジ１を先端部から受け入れる受入れ口１１と、受入れ口１１の内部に位置するカートリッジ収納空所１２と、カートリッジ収納空所１２の奥部に設けられてカートリッジの着脱時に端子２と着脱するコネクタ部１３と、を備えている。
カートリッジ収納空所１２の内壁（上面）には、カートリッジの被係止部４と係合する係合片１５を備え、係合片１５はカートリッジ１をカートリッジ収納空所１２内に挿入完了した際に被係止部４に圧接してこれを弾性的に係止することにより端子２をコネクタ部１３と接続させた状態でカートリッジをカートリッジ収納空所１２内に係止、保持するように構成されている。
なお、本実施形態では、係合片１５はカートリッジ収納空所１２の天板１６の下面に突設されており、本例に係る天板１６はカートリッジ収納空所１２を構成する外周壁に対してネジ止め固定される蓋体である。図６（ａ）は天板１６の下面を示した斜視図であり、係合片１５は薄板状の突片から成り、天板１６の下面１６ａに薄板状の二個の係合片１５が配置されている。図５に示すように係合片１５は平坦な天板下面１６ａから下方へ延びる垂下辺１５ａと垂下辺１５ａの下端から斜め後方下方へ延びる傾斜辺１５ｂと、傾斜辺１５ｂの後端部から後方へ水平に延びる水平辺１５ｃを備えている。傾斜片１５ｂは、カートリッジの着脱方向Ａとの間に鈍角θを形成するよう構成されている。
【０００８】
また、カートリッジの凹部（被係止部４）と係合する係合片１５の接触部位（傾斜辺１５ｂ）は、曲線状（曲面状）に構成されている。即ち、係合片１５におけるカートリッジの凹部との接触部位（傾斜辺１５ｂ）は直線状ではなく曲線状（Ｒ形状）を有している。接触部位を曲線状とすることでカートリッジの着脱時にカートリッジに傷をつけてしまうことを防止することができる。また、着脱操作（特に外す際の操作）がスムーズになる。仮に、接触部位が直線であると、引っ掛かりが大き過ぎて、外しにくくなる。カートリッジを確実に押さえつける力を付与し、かつ着脱の容易性を得るためには、曲線状（曲面状）であることが好ましい。
また、係合片１５は２個以上であってもよい。薄板状の係合片が一個であると係合時の安定性が低下するため、２個以上であることが好ましい。
或いは、図６（ｂ）に示したように幅方向に連続したブロック状の係合片１５としてもよい。この係合片１５の端面形状は、上記実施形態における薄板状の係合片１５と同様である。これによれば、一つの係合片１５でありながら安定してカートリッジを保持することができる。
図２（ａ）、図３（ａ）、及び図４（ａ）に示すようにカートリッジ１をその先端部から受入れ口１１を介してカートリッジ収納空所１２内に挿入開始すると、カートリッジはその底面を底板１７によってガイドされながら内奥部へ進行してゆく。一方、カートリッジの上面は平坦な凸所５が先行して係合片１５と係合し、図２（ｂ）及び図３（ｂ）、図４（ｂ）のように装着が完了すると、カートリッジ側の被係止部４に対して、係合片１５を構成する傾斜辺１５ｂが当接するため、安定した状態でカートリッジを収納位置に保持し続けることができる。
なお、鈍角部としての被係止部４の頂部と傾斜辺１５ｂとを点接触（線接触）させることにより被係止部４を係止する力を高めても良いし、傾斜辺１５ｂと傾斜連設面３ｂとの面接触させるようにしてもよい。
また、傾斜辺１５ｂに細かい溝を形成して粗面化することにより被係止部４との係止力を高めるようにしてもよい。
【０００９】
以上のように本発明によれば、極めてシンプルな構成からなるカートリッジの保持機構を採用したため、端子とコネクタとの接続力に依存することなく、振動、衝撃に対してもがたつくことがないカートリッジ収納装置を提供することが可能となる。
なお、本発明のカートリッジ収納装置は、端子を備えたカートリッジを収納して電気的接続と同時に機械的接続を実現する構成を備えた電子機器一般に適用することができる。
【図面の簡単な説明】
【００１０】
【図１】（ａ）は本発明のカートリッジ収納装置に装着されるカートリッジの構成を示す外観斜視図、（ｂ）及び（ｃ）はカートリッジを装着する前、及び装着後のカートリッジ収納装置の構成説明図である。
【図２】（ａ）及び（ｂ）はカートリッジを装着する前、及び装着後のカートリッジ収納装置の構成を示す斜視断面図である。
【図３】（ａ）及び（ｂ）はカートリッジを装着する前、及び装着後の係止状態を示す斜視断面図である。
【図４】（ａ）及び（ｂ）はカートリッジを装着する前、及び装着後のカートリッジ収納装置の構成を示す断面図である。
【図５】係合片と被係止部との係合状態を示す拡大図である。
【図６】（ａ）及び（ｂ）は夫々天板の下面を示した斜視図である。
【符号の説明】
【００１１】
１…カートリッジ、２…端子、３…凹所、３ａ…底面、３ｂ…傾斜連設面、３ｃ…傾斜面、４…被係止部、５…凸所、１０…カートリッジ収納部、１１…受入れ口、１２…カートリッジ収納空所、１３…コネクタ部、１５…係合片、１５ａ…垂下辺、１５ｂ…傾斜片、１５ｂ…傾斜辺（接触部位）、１５ｃ…水平辺、１６…天板、１６ａ…下面、１７…底板、３０…チューナー装置（カートリッジ収納装置）本体
【図１】
0005071225.tif 000002
【図２】
0005071225.tif 000003
【図３】
0005071225.tif 000004
【図４】
0005071225.tif 000005
【図５】
0005071225.tif 000006
【図６】
0005071225.tif 000007